(57)【特許請求の範囲】
【請求項１】
発信相手先終話通知サービスとして、発信相手先が話中の場合に当該回線を再捕捉して発信元から所定のダイヤルを送出し相手先終話通知を電話網側へ登録することにより、電話網からの前記発信元への特殊着信による呼び出しで前記発信相手先の終話を通知するサービスが提供されている少なくとも１つの回線に接続された主装置と、前記主装置に収容された複数のボタン電話機とからなるボタン電話装置であって、
前記主装置は、
前記サービスの登録状態の有無をボタン電話機毎に管理する管理手段と、
前記サービスの登録操作後に前記電話網から送出される前記相手先の終話を通知する終話通知信号を検出する検出手段と、
前記検出手段により終話通知信号が検出されると前記管理手段により管理されている前記サービスの登録状態のボタン電話機を着信鳴動させる電話機制御手段と、
前記着信鳴動中の前記ボタン電話機の着信応答操作を検出する着信応答操作検出手段とを備え、
前記電話機制御手段は、前記着信応答操作検出手段により着信応答操作が検出されない場合は、所定時間経過後に全てのボタン電話機を着信鳴動させることを特徴とするボタン電話装置。
【請求項２】
発信相手先終話通知サービスとして、発信相手先が話中の場合に当該回線を再捕捉して発信元から所定のダイヤルを送出し相手先終話通知を電話網側へ登録することにより、電話網からの前記発信元への特殊着信による呼び出しで前記発信相手先の終話を通知するサービスが提供されている少なくとも１つの回線に接続された主装置と、前記主装置に収容された複数のボタン電話機とからなるボタン電話装置であって、
前記主装置は、
前記サービスの登録状態の有無をボタン電話機毎に管理する管理手段と、
前記サービスの登録操作後に前記電話網から送出される前記相手先の終話を通知する終話通知信号を検出する検出手段と、
前記検出手段により終話通知信号が検出されると前記管理手段により管理されている前記サービスの登録状態のボタン電話機を着信鳴動させる電話機制御手段と、
前記着信鳴動中の前記ボタン電話機の着信応答操作を検出する着信応答操作検出手段とを備え、
前記電話機制御手段は、前記着信応答操作検出手段により着信応答操作が検出されない場合は、所定の時間間隔で複数回到来する前記終話通知信号の最終回の到来時に全てのボタン電話機を着信鳴動させることを特徴とするボタン電話装置。
【発明の詳細な説明】
【０００１】
【発明の属する技術分野】
本発明は、電話網側から発信相手先終話通知サービスが提供される電話回線に接続されるボタン電話装置及び電話装置に関する。
【０００２】
【従来の技術】
公衆電話網では、発信相手先終話通知サービスが提供されている。このサービスは、発信相手先が話中の場合、発信側電話装置から網側へ所定の登録操作を行うことにより、その後の発信相手先終話を発信側電話装置へ通知するサービスである。
以下、図９〜図１１を参照して、発信相手先終話通知サービスについて説明する。図９は発信相手先終話通知サービスの動作を示すシーケンス図、図１０は発信相手先終話通知時の着信信号を示す信号波形図、図１１は発信相手先終話通知のタイミングチャートである。
【０００３】
図９において、発信側電話装置と着信側電話装置とは、それぞれ電話回線を介して電話網に接続されている。まず、発信側電話装置では利用者の操作に応じて電話回線を捕捉し発信相手先すなわち着信側電話装置の電話番号を送出することにより、着信側電話装置へ発信したとする（ステップ７０）。これに応じて電話網では、着信側電話装置の状態をチェックし、着信側電話装置が他の電話装置と話中の場合など、呼び出しできない場合は、発信側電話装置に対してビジートーンなどにより着信側電話装置が使用状態にあることを通知する（ステップ７１）。これに応じて、発信側電話装置は電話回線を切断する（ステップ７２）。
【０００４】
ここで、利用者が着信側へ電話連絡を取りたい場合、発信相手先終話通知サービスを利用するため、サービスの登録操作を行う。まず、発信側電話装置では、電話回線を捕捉してダイヤル「１５９」を送出する（ステップ７３）。これにより電話網からサービスの内容に関する音声メッセージが通知される（ステップ７４）。そして、発信側電話装置からサービスの登録を指示するダイヤル「１」を送出することにより、サービスの登録が行われ（ステップ７５）、電話網からサービス登録の完了に関する音声メッセージが通知され（ステップ７６）、発信相手先終話通知サービスの登録処理が終了する。
【０００５】
これにより、電話網では、発信相手先終話通知サービスを開始し、登録された着信側電話装置の終話に応じて、後述するＳＩＲ着信により発信側電話装置の呼び出しを行う（ステップ８０）。発信側電話装置でこのＳＩＲ着信に応答した場合（ステップ８１）、電話網から着信側電話装置の終話に関する音声メッセージが通知される（ステップ８２）。これにより利用者は着信側電話装置が終話し、呼び出し可能な状態となったことを知り、一旦、電話回線を切断する（ステップ８３）。
【０００６】
続いて、電話回線を再捕捉してダイヤル「１５９」を送出し（ステップ８４）、これに応じて、電話網からのサービスの内容に関する音声メッセージが通知される（ステップ８５）。そして、発信側電話装置から相手先呼び出しを指示するダイヤル「３」を送出することにより（ステップ８６）、電話網から着信電話装置に対して呼び出しが行われ（ステップ８７）、着信側電話装置での応答に応じて（ステップ８８）、発信側電話装置と着信側電話装置とが電話網を介して接続され、両者間での通話が開始される（ステップ８９）。
このような発信相手先終話通知サービスを利用することにより、発信側電話装置で着信側電話装置の終話を知ることができるとともに、電話網からの発信相手先終話通知後の簡単な操作で、着信側電話装置を呼び出すことができる。
【０００７】
このサービスでは、電話網から発信側電話装置に対して相手先終話を通知する際、図１０に示すように、通常のＩＲ着信とは異なるＳＩＲ着信が用いられる。ＩＲ着信の鳴動パターンは、図１０（ｂ）のように、１秒間のオン期間の鳴動（アナログ電話回線では１６Ｈｚの周波数信号）が３秒周期で繰り返される。これに対してＳＩＲ着信の鳴動パターンでは、０．２５〜０．３秒間（ｔ１）の短いオン期間の鳴動に続いて０．２〜０．３秒間（ｔ２）の短いオフ期間があり、さらに０．２５〜０．３秒間（ｔ１）の短いオン期間の鳴動が設けられている。そして、このような短いオフ期間を挟む、２つのオン期間の鳴動（アナログ電話回線では１６Ｈｚの周波数信号）が３秒周期で、全１２回（約３６秒間）繰り返される。
【０００８】
電話網では、このようなＳＩＲ着信に対して発信側電話装置が何らかの理由で応答できなかった場合を想定し、図１１に示すように、初回のＳＩＲ着信から５分間隔（Ｔ２）で全４回ＳＩＲ着信を用いて発信側電話装置の呼び出しを行う。この際、ＳＩＲ着信への応答後のダイヤル「１５９」に続くダイヤル「３」で電話網から再呼び出しできる期間は、電話網側負荷の低減を考慮して、ＳＩＲ着信への応答から５分以内に制限されている。さらに、ＳＩＲ着信に応答した時点で、発信相手先終話通知サービスが完了したと見なされるため、例えば初回ＳＩＲ着信へ応答した場合、その後の残り３回のＳＩＲ着信は打ち切られる。
【０００９】
また、相手先電話装置の終話を監視する際、電話網側負荷の低減を考慮して、相手先電話装置の終話を監視する期間、すなわち相手終話待ち時間（Ｔ１）をサービス登録時点から４５分までに制限している。
電話網から発信側電話装置への音声メッセージとしては、サービス登録時の登録完了通知メッセージ（Ｍ１）のほか、発信側電話装置によるＳＩＲ着信への応答時に送出される相手先終話通知メッセージ（Ｍ２）がある。また、相手終話待ち時間（Ｔ１）が４５分を越えた場合は、初回となるＳＩＲ着信への応答時に、サービス終了通知メッセージ（Ｍ３）が送出される。
【００１０】
【発明が解決しようとする課題】
ところで、このような発信相手先終話通知サービスが提供される電話回線に接続されるボタン電話装置では、発信相手先の終話を通知するＳＩＲ着信が到来した場合、全てのボタン電話機が着信鳴動し、したがってその着信に対して前記サービスを登録した利用者以外の利用者が応答することがあり、混乱を招くという問題があった。また、外線着信に対して鳴動するボタン電話機を個別に指定する設定がなされている場合でも、前記ＳＩＲ着信が到来すると指定ボタン電話機のみ着信鳴動し同様の混乱を招くという問題があった。
【００１１】
また、着信時に電話網から通知される発信者電話番号が受信可能なボタン電話装置または単独電話機において、着信時に通知された発信者電話番号と予め登録されている発信者電話番号とが一致したときのみ該当ボタン電話機または前記単独電話機が着信鳴動するように設定されている場合は、前記ＳＩＲ着信時には発信者電話番号が通知されないことから着信鳴動せず、したがって利用者へＳＩＲ着信を報知できないという問題があった。さらに、前記サービスが提供される電話回線に接続され、かつ着信時に電話網から通知される発信者電話番号が受信可能なボタン電話装置または単独電話機において、発信者電話番号の通知時にのみ着信鳴動するように設定されている場合は、前記ＳＩＲ着信時には発信者電話番号が通知されないことから同様に着信鳴動せず、利用者へＳＩＲ着信を報知できないという問題があった。
【００１２】
したがって、本発明は、発信相手先終話通知サービスが提供される電話回線に接続される電話装置において前記サービスの登録後に電話網から発信相手先の終話を通知するＳＩＲ着信が到来した場合、前記サービスを登録した登録電話機のみ着信鳴動させることを目的とする。
【００１３】
【課題を解決するための手段】
このような課題を解決するために本発明は、発信相手先終話通知サービスとして、発信相手先が話中の場合に当該回線を再捕捉して発信元から所定のダイヤルを送出し相手先終話通知を電話網側へ登録することにより、電話網からの前記発信元への特殊着信による呼び出しで前記発信相手先の終話を通知するサービスが提供されている少なくとも１つの回線に接続された主装置と、前記主装置に収容された複数のボタン電話機とからなるボタン電話装置において、主装置に、サービスの登録状態の有無をボタン電話機毎に管理する管理手段（テーブル４０Ａ）と、サービスの登録操作後に電話網から送出される相手先の終話を通知する終話通知信号を検出する検出手段と、検出手段により終話通知信号が検出されると管理手段により管理されているサービスの登録状態のボタン電話機を着信鳴動させる電話機制御手段と、着信鳴動中のボタン電話機の着信応答操作を検出する着信応答操作検出手段とを備え、電話機制御手段は、着信応答操作検出手段により着信応答操作が検出されない場合は、所定時間経過後に全てのボタン電話機を着信鳴動させるものである。
【００１４】
また、前記ボタン電話機の着信応答操作が検出されない場合は、所定の時間間隔で複数回到来する前記終話通知信号の最終回の到来時に全てのボタン電話機を着信鳴動させるものである。
【００１５】
【発明の実施の形態】
次に、本発明について図面を参照して説明する。
図１は本発明の実施の形態を示すボタン電話装置のブロック図であり、ここでは、発信相手先終話通知サービスが電話網から提供されているアナログ電話回線に主装置が接続されるアナログボタン電話装置が例として示されている。
【００１６】
主装置３０は、前述したように複数のアナログ電話回線（以下、外線）３１に接続されるとともに、複数のボタン電話機（以下、子機）２０Ａ〜２０Ｎを収容している。また、主装置３０には、外線Ｉ／Ｆ部３２，着信信号検出部３３，ＢＴ検出部３４，音声認識部３５，録再部３６，Ｔスイッチ３７，内線Ｉ／Ｆ部３８，主制御部３９及び主記憶装置４０が設けられている。
【００１７】
ここで、外線Ｉ／Ｆ部３２は、複数の外線３１に対する捕捉及びダイヤル信号の送出をそれぞれ行うものである。また、着信信号検出部３３は、複数の外線３１からの通常のＩＲ着信および発信相手先終話通知サービスで用いられるＳＩＲ着信をそれぞれ識別して検出するものである。また、ＢＴ検出部３４は、複数の外線３１から到来するＢＴ（ビジートーン）をそれぞれ検出するものである。また、音声認識部３５は、複数の外線３１からの音声メッセージをそれぞれ認識するものである。
【００１８】
また、録再部３６は、複数の外線３１からの音声を録音するとともに、必要に応じてこの録音音声を再生して子機２０Ａ〜２０Ｎへ送出するものである。また、Ｔスイッチ３７は、複数の外線３１と子機２０Ａ〜２０Ｎ間の通話パスを接続するものである。内線Ｉ／Ｆ部３８は、子機２０Ａ〜２０Ｎとの間のデータ伝送及び音声信号の伝送を行うものである。主制御部３９は主記憶部４０のプログラムを実行して、主装置３０内の以上の各部を制御するものである。なお、主記憶部４０には、主制御部３９により実行される前記プログラムの他に、主制御部３０の制御に必要な複数の各外線及び子機の状態を示すデータが記憶されるとともに、発信相手先終話通知サービスの電話網への登録状況を外線毎及び子機毎に管理する図５に示すテーブル４０Ａが設けられている。
【００１９】
一方、子機２０Ａ〜２０Ｎは、主装置３０とデータ及び音声の伝送を行う伝送Ｉ／Ｆ部２１と、音声信号のデジタル／アナログ変換を行って送受器ＨＳへ送出するとともに、音声信号のアナログ／デジタル変換を行って主装置３０側へ送出する音声処理部２２と、子機の全制御を行う子機制御部２３と、ダイヤルボタン等の操作部２４と、ＬＥＤやＬＣＤなどの表示素子を用いて外線３１の状態や子機の動作状態及び通話料金等を可視表示するほか、発信相手先終話通知サービスの状態を可視表示する表示部２５と、メモリ２６と、前述の送受器ＨＳ及び着信音等を放出するスピーカＳＰとから構成される。
【００２０】
次に、図６〜図８を参照して、本電話装置の要部動作について説明する。
まず、図６に示す外線発信処理から説明する。利用者が電話網から提供される発信相手先終話通知サービスを考慮して相手先へ発信する場合は、子機の操作部２４内の登録ボタンを押下する（ステップＳ１）。すると、これが子機制御部２３により検出されて伝送Ｉ／Ｆ部２１を介して主装置３０側へ送信され、主制御部３９は内線Ｉ／Ｆ部３８を介してその登録ボタンデータを受信する。この場合、主制御部３９は主記憶部４０内のテーブル４０Ａを参照してこのテーブル４０Ａ内に発信相手先終話通知サービスが後述する登録フラグとしてセットされていない空き外線の有無を判断する（ステップＳ２）。
【００２１】
ここで、前記サービスの未登録外線がテーブル４０Ａ内に存在しない場合は、該当子機へビジー表示データを送信して該当子機の表示部２５に未登録外線が存在しないことを示すビジー表示を行う（ステップＳ４）。この場合、通常どおり優先順位の高い空き外線を捕捉するようにしても良い。
一方、テーブル４０Ａ内に前記サービスが未登録でかつ空いている外線があれば外線Ｉ／Ｆ部３２に指示してその未登録外線を捕捉させる（ステップＳ３）。その後、利用者が子機の操作部２４のダイヤルボタンを操作して相手先ダイヤル番号を入力すると（ステップＳ５）、そのダイヤルデータは主制御部３９で受信され、この場合主制御部３９はそのダイヤルデータを外線Ｉ／Ｆ部３２へ送って捕捉外線へ送出させる（ステップＳ６）とともに、このときＢＴ検出部３４によるＢＴ（ビジートーン）の検出が開始される（ステップＳ７）。
【００２２】
ここで、ＢＴが検出されなければ相手先への呼出が可能ということで通常の発信処理が行われる（ステップＳ９）。一方、ＢＴが検出された場合は、発信相手先は他の相手と通話中でビジーということでステップＳ８の「相手ビジー？」が「Ｙ」となる。この場合、利用者が子機の例えば送受器ＨＳを下げ上げするフラッシュ操作（フッキング操作）を行うと（ステップＳ１０）、これに伴うオンフックデータ及びオフフックデータが主制御部３９に伝達され、主制御部３９は外線Ｉ／Ｆ部３２に指示して捕捉外線を一旦切断して再捕捉させる（ステップＳ１０）。
【００２３】
その後、利用者が前記サービスを登録するために子機の操作部２４のダイヤルボタンを「１」、「５」、「９」、「１」を操作すると、そのダイヤルボタンデータが主制御部３９に伝達され、主制御部３９はこれらを外線Ｉ／Ｆ部３２に送って外線へダイヤル信号として送出させる（ステップＳ１２）。こうした前記サービスを登録するためのダイヤル信号が外線から電話網側へ送出されることにより電話網側でサービスが登録される。
【００２４】
ところで、電話網ではダイヤル「１５９１」を受信後サービスの登録ができない場合は約１０秒後にＢＴ（ビジートーン）を送出するとともに、サービスの登録ができた場合は約１分後にＢＴを送出する。また、電話網ではサービスの登録を行うと、サービス登録の完了に関する音声メッセージを通知する。
この場合、主装置３０は、電話網から送出されるＢＴをＢＴ検出部３４により検出して前記サービスの登録の有無を判断するが、主制御部３９はまずタイマ３９Ａ内の１．２分の登録検出タイマをスタートさせる（ステップＳ１３）とともに、ビジートーンの検出をスタートする（ステップＳ１４）。
【００２５】
そして、主制御部３９はＢＴ検出部３４を介するＢＴの検出判断（ステップＳ１５）及び登録検出タイマのタイムアップの判断（ステップＳ１６）を行い、ＢＴ検出部３４によりＢＴが検出されると登録検出タイマをストップし（ステップＳ１７）、そのタイマの値が所定範囲内にあるか否かを判断する（ステップＳ１８）。ここで、登録検出タイマの値が１分程度であれば、電話網において前記サービスが登録できたときであり、このような場合は、そのタイマ値は所定の範囲内にあると判断して主制御部３９は図５のテーブル４０Ａの該当外線と該当子機に対応して登録フラグをセットする（ステップＳ１９）。このようにして、サービス登録検出処理が終了すると、捕捉外線が開放される（ステップＳ２１）。
【００２６】
一方、ＢＴを検出したときに登録検出タイマの値が１０秒程度であれば電話網においてサービスが登録不可になる場合であり、このような場合はそのタイマ値は所定の範囲外にあると判断して図５のテーブル４０Ａの該当外線と該当子機に対応する登録フラグをリセットする（ステップＳ２０）。なお、ＢＴ検出部３４によりＢＴが検出されずに登録検出タイマがタイムアップしステップＳ３４の判定が「Ｙ」となると、１．２分経過しても未だＢＴが検出できず、この場合も同様にサービスが登録されないものと判断して図５のテーブル４０Ａの該当外線と該当子機に対応する登録フラグをリセットする（ステップＳ２０）。なお、この場合、主制御部３９は電話網からのサービス登録の完了に関する音声メッセージを音声認識部３５により認識させこの認識結果に応じて登録フラグのセット／リセットを行うこともできる。このようにして、サービス登録検出処理が終了すると、捕捉外線が開放される（ステップＳ２１）。
【００２７】
このようにして発信相手先終話通知サービスの登録検出処理が行われた後、図７のステップＳ３１では、主制御部３９は前記サービスが登録できたか否かをセットされた登録フラグをもとに判断し、前記サービスが登録されたと判断すると主記憶部４０内に外線毎に設けられた着信カウンタをクリアする（ステップＳ３２）。ここで、電話網では前記サービスの登録を行うと発信相手先の終話を監視し、発信相手先が終話すると該当の外線にＳＩＲ着信信号を送出する。
【００２８】
ところで、主装置３０の主制御部３９は、アイドル状態においては着信検出部３３を介し外線着信の到来の有無を判断（ステップＳ３３）しており、外線着信と判断すると次にその着信信号のタイミングを識別してＳＩＲ着信か否かを判断する（ステップＳ３４）。ここで、到来した着信が通常のＩＲ着信である場合は、ステップＳ３５の「発ＩＤ＝登録ＩＤ？」を判断のうえステップＳ３５Ａで通常着信処理を行う。すなわち、外線Ｉ／Ｆ部３２には着信時に電話網から通知される発信者電話番号（以下、発ＩＤ）を受信するモデムが設けられており、かつ主記憶部４０には予め発ＩＤに対応して鳴動可能な子機が登録されている。そして、前記ＩＲ着信時に電話網から通知されモデムにより受信した発ＩＤと主記憶部４０内の登録発ＩＤとが一致しステップＳ３５の判定が「Ｙ」となると、対応子機を着信鳴動する通常着信処理を行う（ステップＳ３５Ａ）。また、受信した発ＩＤと主記憶部４０内の登録発ＩＤとが一致せずステップＳ３５の判定が「Ｎ」となる場合、或いは前記ＩＲ着信時に発ＩＤが受信できずにステップＳ３５の判定が「Ｎ」となる場合は、子機を着信鳴動する前記通常着信処理を行わない。
【００２９】
一方、主制御部３９は着信検出部３３により検出される着信信号のタイミングを識別してこの外線着信が通常のＩＲ着信の鳴動パターンとは異なるＳＩＲ着信の場合は、ステップＳ３４の判定が「Ｙ」となり、この場合は着信カウンタの値に基づきそのＳＩＲ着信が４回目の着信か否かを判断する（ステップＳ３６）。ここで、例えば初回（１回目）のＳＩＲ着信である場合は、前記テーブル４０Ａに基づきサービス登録子機を確認のうえ（ステップＳ３７）、そのサービス登録子機が空き状態か否かを判断する（ステップＳ３８）。そして、空き状態ではない場合は主制御部３９は、発信相手先が終話の旨の表示データ及び登録ランプの点滅データを該当子機へ送信し、該当子機の表示部２５のＬＣＤに相手先の終話の旨を表示させ（ステップＳ３９）、かつ前記登録ボタンに対応して設けられている表示部２５の登録ランプを点滅させ（ステップＳ４０）、その子機の利用者に発信相手先が終話した旨を報知する。
【００３０】
一方、登録子機が空き状態の場合は、登録子機へ着信鳴動データを送信してスピーカＳＰから着信音を送出させる（ステップＳ４１）。さらに、該当子機の表示部２５のＬＣＤに相手先の終話の旨を表示させ（ステップＳ４２）、かつ表示部２５の登録ランプを点滅させ（ステップＳ４３）、その子機の利用者に発信相手先が終話した旨を報知する。このようなＳＩＲ着信の登録子機への報知に対し、利用者がその着信に応答せずにＳＩＲ着信が終了しステップＳ４４の判定が「Ｙ」となると、主制御部３９は着信カウンタを＋１して（ステップＳ４５）ステップＳ３３へ戻り、次のＳＩＲ着信の検出に備える。このＳＩＲ着信に応答しない場合は、電話網から５分後に２回目のＳＩＲ着信が到来し、さらに５分後に３回目のＳＩＲ着信が到来した後、最後に４回目のＳＩＲ着信がその５分後に到来する。
【００３１】
ここで、ＳＩＲ着信に対して登録子機が応答すると、タイマ３９Ａ内の５分タイマをスタートさせ（ステップＳ４７）、かつその応答外線の切断の有無を判断する（ステップＳ４８）。応答外線が切断されると、主制御部３９はサービスが登録されているその外線の再捕捉の有無の判断（ステップＳ４９）及び５分タイマのタイムアップの判断（ステップＳ５０）をそれぞれ行い、５分タイマのタイムアップ以内に登録外線の再捕捉が行われてその外線を介して子機のダイヤル操作に基づくダイヤル「１５９３」が発信され、ステップＳ５２の「ダイヤル１５９３の送出？」が「Ｙ」と判定されると、５分タイマをストップし（ステップＳ５３）、かつテーブル４０Ａ内の該当子機と該当外線に対応する登録フラグをクリアする登録解除を行う（ステップＳ５４）。なお、ＳＩＲ着信に応答すると電話網側でもサービス登録状態が解除される。
【００３２】
その後、該当子機へＬＣＤ消去データ及び登録ランプ消灯データを送信して、該当子機の表示部２５のＬＣＤに表示されている発信相手先の終話の旨の表示を消去させ（ステップＳ５５）、かつ表示部２５の登録ランプを消灯させる（ステップＳ５６）。このようにして、ダイヤル「１５９３」が電話網側へ送出されることにより、電話網から発信相手先への呼出が行われ、発信相手先の呼出への応答により通話を行うことができる。
なお、登録外線が再捕捉されずに５分タイマがタイムアップした場合や、登録外線を捕捉してもダイヤル「１５９３」が送出されないうちに５分タイマがタイムアップした場合は、ステップＳ５４の登録解除処理、ステップＳ５５のＬＣＤ表示消去処理、及びステップＳ５６の登録ランプ消灯処理を行って処理を終了する。
【００３３】
一方、１回目、２回目及び３回目のＳＩＲ着信時に何れもその着信への応答が検出されずに４回目のＳＩＲ着信が到来すると（１回目のＳＩＲ着信から１５分経過後）、ステップＳ３６の「４回目の着信か？」が「Ｙ」となり、この場合は主制御部３９は図８のステップＳ６１に処理を進める。そして、この着信に対しＲＥＣ（即ち、録再部３６）の応答が可能か否かを判断し、着信応答が可能な場合はＲＥＣによりそのＳＩＲ着信に応答させる（ステップＳ６２）。これにより、ＲＥＣでは電話網側から送出される発信相手先の終話を示す音声メッセージを録音する。そして、該当子機の表示部２５のＬＣＤに、ＬＥＣによる応答の旨を表示する（ステップＳ６３）。さらに、前述した該当子機の登録ランプの消去処理（ステップＳ６９）及び登録解除処理（ステップＳ７０）を行って終了する。これにより、子機の利用者は、表示部のＬＣＤのＬＥＣ応答表示に基づき、ＲＥＣを再生して相手終話の旨のメッセージを確認できる。
【００３４】
また、４回目のＳＩＲ着信時にＲＥＣの応答が不可の場合は全子機鳴動設定の有無を判断し（ステップＳ６４）、全子機鳴動が設定されていれば、すべての子機に着信データを送信してそのスピーカＳＰを着信鳴動させる（ステップＳ６５）。その後、前述の該当子機の登録ランプの消去処理（ステップＳ６９）及び登録解除処理（ステップＳ７０）を行って終了する。これにより、何れかの子機の利用者がそのＳＩＲ着信に応答できる。そして、この応答により電話網のサービス登録状態が解除されることから、他の利用者による新たな発信相手先終話通知サービスの登録が可能になる。
【００３５】
なお、４回目のＳＩＲ着信時にＲＥＣの応答が不可でかつ全子機鳴動が設定されていない場合は、外線転送が設定されているか否かを判断し（ステップＳ６６）、外線転送が設定されている場合は、そのＳＩＲ着信を他の外線を介してその登録子機の利用者宛へ転送する外線転送処理を行う（ステップＳ６７）。その後、前述の該当子機の登録ランプの消去処理（ステップＳ６９）及び登録解除処理（ステップＳ７０）を行って終了する。これにより、サービス登録子機へのＳＩＲ着信をその子機の利用者宛へ転送することができる。
【００３６】
また、ステップＳ６１の「ＲＥＣ応答可能？」、ステップＳ６４の「全子機鳴動設定あり？」及びステップＳ６６の「外線転送設定あり？」が何れも不可の場合は、この４回目のＳＩＲ着信の終了を判断し（ステップＳ６８）、ＳＩＲ着信が終了すると、前述の該当子機の登録ランプの消去処理（ステップＳ６９）及び登録解除処理（ステップＳ７０）を行って終了する。なお、この場合登録子機の応答を判断し、登録子機が応答すると図７のステップＳ４７以降の処理を行わせるようにしても良い。
【００３７】
このように、子機の発信時に発信相手先が話中の場合は、子機の発信相手先終話通知サービスの登録操作を示すダイヤル「１５９１」操作後に電話網における前記サービスの登録の有無を検出し、前記サービスの登録に応じてテーブル４０Ａの該当外線と該当子機に対応して登録フラグを設定し、相手先の終話に応じて電話網からＳＩＲ着信が到来すると、前記テーブル４０Ａの前記ＳＩＲ着信の外線に対応する登録子機にＳＩＲ着信を報知するようにしたものである。これにより、前記サービスの登録を行った子機にのみＳＩＲ着信を報知できる。
なお、本実施の形態では、前記サービスが登録できるように外線捕捉時にテーブル４０Ａを検索してサービス未登録の外線を捕捉しているが、必ずしもそのようにする必要はなく、外線ボタンの押下により空き外線を捕捉するようにしても良い。
【００３８】
以上の説明は、アナログボタン電話装置の例であるが、図２に示すように、主装置３０に複数のＩＳＤＮ回線３１Ａを収容するとともに、前記主装置３０に図１に示すボタン電話機２０Ａ〜２０Ｎを接続したデジタルボタン電話装置にも適用することができる。
【００３９】
この場合、主装置３０の外線Ｉ／Ｆ部３２Ａにより、電話網へのダイヤル発信を行うとともに、電話網からの発信相手先の話中状態（相手ビジー）を示すデータの受信や、電話網からの発信相手先終話通知サービスの登録通知データの受信，発ＩＤの受信及びＳＩＲ着信データの受信を行って主制御部３９へ出力させるように構成する。また、外線Ｉ／Ｆ部３２Ａに音声認識部を設け、音声認識部によりＩＳＤＮ回線３１Ａを介する電話網からの音声メッセージを認識させ、認識結果を主制御部３９へ出力させるように構成する。
【００４０】
そして、主制御部３９が同様に図６〜図８の各ステップの処理を行うことにより、外線の捕捉にはテーブル４０Ａ内の発信相手先終話通知サービスが未登録の空き外線を検索してその外線を自動捕捉するとともに、その後の子機側のダイヤル操作に基づくダイヤル発呼を外線Ｉ／Ｆ部３２Ａにより行わせ、相手話中の場合は子機側のダイヤル操作に基づくダイヤルデータ「１５９１」を外線Ｉ／Ｆ部３２Ａから送出させた後、電話網からの相手先話中を示すデータや登録通知データの受信、及び音声メッセージの認識を外線Ｉ／Ｆ部３２Ａにより行わせて出力させる。その後、この外線Ｉ／Ｆ部３２Ａの出力結果とタイマ３９Ａ内の登録検出タイマとに基づいて前記サービスの登録の有無を判断し、その判断結果に応じてテーブル４０Ａの該当子機及び該当外線に対応する登録フラグのセット／リセットを行う。
【００４１】
こうした前記サービスの電話網への登録により、電話網からＳＩＲ着信が到来すると、主制御部３９は同様にテーブル４０Ａに基づきサービス登録子機を判断し、その登録子機にのみＳＩＲ着信を報知する。
【００４２】
また、本発明は、ボタン電話装置以外に図３に示すアナログ単独電話機や図４に示すデジタル単独電話機等の電話装置にも適用できる。
即ち、図３に示すアナログ単独電話機の場合は、ダイオードブリッジＤＢ１，ＤＢ２、コンデンサＣ１、フックスイッチＨＳ１，ＨＳ２、ＣＰＵ１，着信検出回路２、ブザーＢＺ、ループ閉結回路３、ダイヤル回路４、通話回路５、送受器ＴＲ、増幅回路６、音源回路７、音声録再回路８、ダイヤルキー９、機能キー１０、メモリ１１、表示回路１２、モデム１３、時計回路１４、ＢＴ検出回路１５及び音声認識回路１６が設けられている。
【００４３】
ここで、ダイオードブリッジＤＢ１は、アナログ電話回線Ｌ１，Ｌ２の両端に接続されており、アナログ電話回線Ｌ１，Ｌ２からのループ電流を整流して後段のループ閉結回路３や通話回路５へ供給する。ループ閉結回路３は、ダイオードブリッジＤＢ１と通話回路５との間に接続され、ＣＰＵ１からの指示に応じてアナログ電話回線Ｌ１，Ｌ２の直流ループを閉結する。このループ閉結回路３と並列してフックスイッチＨＳ１が設けられている。なお、フックスイッチＨＳ１と連動するフックスイッチＨＳ２の状態がＣＰＵ１にも入力されている。
【００４４】
ダイオードブリッジＤＢ２は、コンデンサＣ１を介してアナログ電話回線Ｌ１，Ｌ２の両端に接続され、電話網からの着信信号（１６Ｈｚの周波数信号）を整流し、その整流出力を着信信号検出回路２へ供給する。着信検出回路２では、ダイオードブリッジＤＢ２からの整流出力に基づき、通常のＩＲ着信および発信相手先終話通知サービスで用いられるＳＩＲ着信を識別して検出する。
【００４５】
ダイヤル回路４では、ＣＰＵ１からの指示に応じて、相手先電話番号や発信相手先終話通知サービスで用いる「１５９」など、所定のダイヤル信号をループ閉結回路３を介してアナログ電話回線Ｌ１，Ｌ２へ送出する。通話回路５では、ループ閉結回路３またはフックスイッチＨＳ１を介して供給されたループ電流に応じて、送受器ＴＲを動作させて音声通話を行う。増幅回路６では、スピーカ受話動作の場合、通話回路５からの通話音声を増幅してスピーカＳＰから出力する。音声録再回路８では、必要に応じて増幅回路６からの通話音声を録音し、さらに増幅回路６へ再生出力する。音源回路７では利用者への呼び出し音、アラーム音、確認音など各種の信号音を増幅回路６へ出力する。
【００４６】
ＣＰＵ１は、図示しない内部メモリに格納された所定のプログラムにより動作して各回路を制御する。メモリ１１は、ＣＰＵ１の処理動作に必要な情報、例えば電話装置の動作状態や発信相手先終話通知サービスの状態、短縮電話番号、リダイヤル電話番号、さらには発信相手先終話通知サービスの相手先電話番号などを記憶するとともに、着信時に電話網から発ＩＤが非通知の場合に非着信鳴動にする設定が行われている。
【００４７】
表示回路１２は、ＬＥＤやＬＣＤなどの表示素子を用いて、アナログ電話回線Ｌ１，Ｌ２の状態や電話装置の動作状態等を可視表示するほか、発信相手先終話通知サービスの状態を可視表示する。モデム１３は、電話網から通知される発信者電話番号を受信しＣＰＵ１へ出力する。時計回路１４では、カレンダー管理や時刻計時動作のほか、ＣＰＵ１のタイマ１Ａを用いた計時処理のために必要な所定周波数のクロック信号をＣＰＵ１へ供給する。ＢＴ検出回路１５は、回線Ｌ１，Ｌ２に到来するＢＴ（ビジートーン）を検出しＣＰＵ１へ出力する。音声認識回路１６は回線Ｌ１，Ｌ２に到来する音声メッセージを認識しＣＰＵ１へ出力する。
【００４８】
このように構成された電話装置では、前述したように発ＩＤの非通知時に非着信鳴動にするような設定を行うことができる。このような場合、ＣＰＵ１は、着信検出回路を介する回線Ｌ１，Ｌ２からの着信信号のオン・オフタイミングを検出して通常のＩＲ着信であると識別すると、この着信の到来時にモデム１３により発ＩＤが受信されているか否かを検出し、発ＩＤの受信が検出されずかつ電話装置に前記のような設定がなされている場合は、ブザーＢＺよる着信鳴動を行わない。
【００４９】
こうした、発ＩＤ非通知時に非着信鳴動にする設定が行われている電話装置において、利用者が発信のためにオフフックするとフックスイッチＨＳ１の閉結により回線Ｌ１，Ｌ２が捕捉されるとともに、その後のダイヤルキー９の操作に基づく相手ダイヤル番号をＣＰＵ１が検出すると、ダイヤル回路４へそのダイヤル番号を送出してダイヤル信号として回線Ｌ１，Ｌ２へ送出する。そして、相手話中の場合はオンフックした後再度オフフックして回線Ｌ１，Ｌ２を再捕捉し、ダイヤルキー９の操作に基づくダイヤル番号「１５９１」をダイヤル信号として回線Ｌ１，Ｌ２へ送出する。これにより、電話網において相手発信先終話通知サービスが登録されるとともに、ＣＰＵ１は電話網における前記サービスの登録状況を前記ＢＴ検出回路１５による検出結果、タイマ１Ａの経時結果、及び音声認識回路１６による終話通知メッセージの認識結果により判断し、前記サービスが登録されたと判断すると、メモリ１１に登録フラグをセットする。
【００５０】
ここで、電話網に前記サービスが登録されると、電話網では発信相手先の終話を監視し、その終話を検出するとＳＩＲ着信を回線Ｌ１，Ｌ２へ送出する。このＳＩＲ着信は着信検出回路２により検出されてＣＰＵ１へ伝達される。この場合、ＣＰＵ１はその着信信号のオン・オフタイミング、即ち鳴動パターンを識別してその着信信号が通常のＩＲ着信とは異なるＳＩＲ着信と認識すると、メモリ１１にサービス登録フラグがセットされていることを確認のうえ、ブザーＢＺを駆動しＳＩＲ着信鳴動パターンで着信鳴動させる。したがって、電話装置に、発ＩＤ非通知時に非着信鳴動にする設定が行われていても、ＳＩＲ着信を検出するとブザーＢＺを着信鳴動し、利用者に発信相手先が終話したことを報知できる。
【００５１】
次に、図４に示すＩＳＤＮ回線ＬＡに接続されるデジタル単独電話機の場合は、図５に示すように、ＩＳＤＮ回線ＬＡとのインタフェースである外線Ｉ／Ｆ（外線インタフェース）回路１７を設け、この外線Ｉ／Ｆ回路１７により、電話網へのダイヤル発信，電話網からの発信相手先の話中状態（相手ビジー）を示すデータの受信や、電話網からの発信相手先終話通知サービスの登録通知データの受信，発ＩＤの受信及びＳＩＲ着信データの受信を行うように構成する。また、音声処理回路１８を設け、音声処理回路１８により、音声信号のデジタル／アナログ変換を行って送受器ＴＲに送出するとともに、送受器ＴＲからの音声信号のアナログ／デジタル変換を行ってＩＳＤＮ回線側に送出するように構成する。また、音声処理回路１８によりＩＳＤＮ回線ＬＡを介する電話網からの音声メッセージを認識させるように構成する。そして、ＣＰＵ１が外線Ｉ／Ｆ部１７及び音声処理回路１８を制御して、図３に示すアナログ単独電話機のＣＰＵ１の前述した処理と同様の処理を行うことにより、発ＩＤ非通知時に非着信鳴動にする設定が行われていても、ＳＩＲ着信を検出するとブザーＢＺを着信鳴動し、利用者に発信相手先が終話したことを報知する。
【００５２】
【発明の効果】
以上説明したように本発明によれば、発信相手先が話中の場合に当該回線を再捕捉して発信元から所定のダイヤルを送出し相手先終話通知を電話網側へ登録することにより、電話網からの前記発信元への特殊着信による呼び出しで発信相手先の終話を通知するサービスが提供されている少なくとも１つの回線に接続された主装置と、前記主装置に収容された複数の子機とからなるボタン電話装置において、主装置にサービスの登録状態の有無を子機毎に管理する管理手段（テーブル４０Ａ）を設け、主装置は、サービスの登録操作後に電話網から送出される相手先の終話を通知する終話通知信号（ＳＩＲ着信）を検出すると、管理手段により管理されているサービスの登録状態の子機を着信鳴動させるようにしたので、電話網からＳＩＲ着信が到来した場合、前記サービスを登録した登録子機にみを着信鳴動させることができる。これにより、その登録子機の利用者はその着信に応答して相手が終話したことを認識することができ、その後の相手先への発信が可能になる。
【００５３】
また、着信鳴動中の子機の着信応答操作が検出されない場合は、所定時間経過後に全ての子機を着信鳴動させるようにしたので、何れかの子機でＳＩＲ着信に応答でき、この応答により電話網側のサービスの登録状態が解除されることから他の利用者による新たなサービスの登録を行うことが可能になる。
また、音声メッセージの録音及び再生を行う録再部を設け、前記子機の着信応答操作が検出されない場合は、録再部に応答させるようにしたので、録再部には電話網からの相手終話の旨のメッセージが録音できることから、前記子機の利用者がそのメッセージを再生すれば、自身の発信相手先の終話を認識できるとともに、前記応答により電話網側のサービスの登録状態が解除されることから他の利用者による新たなサービスの登録を行うことが可能になる。
また、前記子機の着信応答操作が検出されない場合は、その子機の表示部に発信相手先の終話の旨を表示させるようにしたので、子機の利用者は自身の発信相手先の終話を容易に認識できる。
また、前記子機の着信応答操作が検出されない場合は、所定の時間間隔で複数回到来する前記ＳＩＲ着信の最終回の到来時に全ての子機を着信鳴動させるようにしたので、同様に何れかの子機でＳＩＲ着信に応答でき、この応答により電話網側のサービスの登録状態が解除されることから他の利用者による新たなサービスの登録を行うことが可能になる。
【００５４】
また、予め登録された電話番号と回線の着信時に通知された発信者電話番号が一致すると指定された子機を着信鳴動するボタン電話装置は、サービスの登録操作後に電話網からのＳＩＲ着信を検出すると、管理手段により管理されているサービスの登録状態の子機を着信鳴動させるようにしたので、ＳＩＲ着信時には同様にサービス登録子機のみを着信鳴動させて発信相手先終話の旨を報知できる。
また、回線の着信時に発信者電話番号が非通知の場合は着信を拒否する電話装置に、電話網からのＳＩＲ着信を検出する検出手段を設け、この検出手段によりＳＩＲ着信が検出されると着信鳴動させるようにしたので、発信者電話番号が非通知であっても着信鳴動して発信相手先終話の旨を報知できる。
【図面の簡単な説明】
【図１】  本発明に係るボタン電話装置の構成を示すブロック図である。
【図２】  デジタルボタン電話装置の主装置のブロック図である。
【図３】  アナログ単独電話機のブロック図である。
【図４】  デジタル単独電話機のブロック図である。
【図５】  主装置の主記憶部内のテーブルの構成を示す図である。
【図６】  ボタン電話装置の要部動作を示すフローチャートである。
【図７】  ボタン電話装置の要部動作を示すフローチャートである。
【図８】  ボタン電話装置の要部動作を示すフローチャートである。
【図９】  発信相手先終話通知サービスの動作を示すシーケンス図である。
【図１０】  発信相手先終話通知時の着信信号を示す信号波形図である。
【図１１】  発信相手先終話通知のタイミングチャートである。
【符号の説明】
１…ＣＰＵ、１Ａ，３９Ａ…タイマ、２…着信検出回路、３…ループ閉結回路、４…ダイヤル回路、５…通話回路、９…ダイヤルキー、１１…メモリ、１３…モデム、１５…ＢＴ検出回路、１６…音声認識回路、ＢＺ…ブザー、１７…外線Ｉ／Ｆ回路、１８…音声処理回路、２０Ａ〜２０Ｎ…ボタン電話機（子機）、２１…伝送Ｉ／Ｆ部、２２…音声処理部、２３…子機制御部、２４…操作部、２５…表示部、３０…主装置、３１…アナログ電話回線、３１Ａ…ＩＳＤＮ回線、３２，３２Ａ…外線Ｉ／Ｆ部、３３…着信信号検出部、３４…ＢＴ検出部、３５…音声認識部、３６…録再部、３７…Ｔスイッチ、３８…内線Ｉ／Ｆ部、３９…主制御部、４０…主記憶部、４０Ａ…テーブル。
【図１】
0003714154.tif 000002
【図２】
0003714154.tif 000003
【図３】
0003714154.tif 000004
【図４】
0003714154.tif 000005
【図５】
0003714154.tif 000006
【図６】
0003714154.tif 000007
【図７】
0003714154.tif 000008
【図８】
0003714154.tif 000009
【図９】
0003714154.tif 000010
【図１０】
0003714154.tif 000011
【図１１】
0003714154.tif 000012